(57)【要約】【課題】  紙製のテーブルアレンジ用品が使い捨てにされることを防止するとともに、テーブルアレンジ用品としての装飾性と実用機能を高める。【解決手段】  単一の材料用紙を折り紙技法によって特定の立体形状を有する立体素材１０に折り上げ、この立体素材に立体形状維持力と耐水性を付与する透明樹脂塗料を含浸させることによって、紙製品としての視覚的な風合いを保持しつつ、複数回使用に耐える形状維持力と水洗いに耐える耐水性を付与する。テーブルアレンジ用品は、和洋食の盛り付けに際しての装飾としての他、その立体形状に応じて箸置きや薬味入れとして使用する。【選択図】  図１
2005087498.tif 000002
【特許請求の範囲】
【請求項１】
単一の材料用紙を折り紙技法によって特定の立体形状を有する立体素材に折り上げ、該折り上げ後に、前記立体素材に立体形状維持力と耐水性とを付与する樹脂塗料を含浸させてなり、
前記樹脂塗料として透明樹脂塗料を用いること、を特徴とする、
実用機能を備える折り紙製テーブルアレンジ用品。
【請求項２】
前記透明樹脂塗料として透明ウレタン樹脂塗料を用いること、を特徴とする、
請求項１に記載の実用機能を備える折り紙製テーブルアレンジ用品。
【請求項３】
前記材料用紙として和紙を用いること、を特徴とする、
請求項１または請求項２に記載の実用機能を備える折り紙製テーブルアレンジ用品。
【発明の詳細な説明】
【技術分野】
【０００１】
本発明は、日常または結婚式等の祭事における、洋食卓または和食卓の料理の盛り付け配置等に際して、テーブル上を華やかに装飾するテーブルアレンジ機能に加えて、オードブル容器、箸置き、薬味入れ、楊子立て、料理品相互の入り交じりを防止するセパレータ等の実用機能を発揮し、しかも、多数回使用することができるように工夫した折り紙製テーブルアレンジ用品に関する。
【背景技術】
【０００２】
料理の評価においては、味や栄養学的評価のみならず、見た目や盛り付け、料理を提供する人の心遣いも重要な要素をなす。殊に、祭事における料理の提供には、この観点からの配慮が要求される。この要求を満たすためのテーブルアレンジ用品として、テーブル上に燭台や花飾りのセッティングがなされたり、盛り付け用の器やその他の食器具類にも装飾性の高いものが用いられる。この際には、紙製のテーブルアレンジ用品も多数使用される。
【０００３】
このようなテーブルアレンジ用途に使用する紙製用品は、従来、一回使用後使い捨てることを前提に工業的に大量生産され、その構成も製造工程の削減等の要請により単純なものが多い。また、単純な構成からして純粋に装飾目的のものは少なく、簡単な盛皿や箸置きの機能をもたせた実用的なものが多い。
【０００４】
【特許文献１】実開昭６３−１７５０７６号公報
【特許文献２】実開昭６４−５３０８９号公報
【特許文献３】実開平１−９４２２１号公報
【特許文献４】実開平６−１３６４８号公報
【特許文献５】特開平１０−２７６８８３号公報
【特許文献６】特許６０５号公報
【特許文献７】特許２３０８４号公報
【特許文献８】特許３８２８６号公報
【非特許文献１】榎本  寅吉監修  編者：主婦の友社「簡単おりがみ百科」
【０００５】
特許文献１には、紙製の箸袋が開示されている。この箸袋の先端側には、兎の頭部がデザインされ、舌片とスリットが形成してある。箸を取り出した後、舌片を引き起こしてスリットに差し込み固定することによって、兎が頭部をもたげた立体形状となり、１対の耳間に箸を載せ置くことができるように考案されている。考案の内容は、箸袋が兎デザインの箸置きに変形することを要旨とし、遊び要素の面白味を実現したものであり、テーブル上を飾る要素はない。
【０００６】
特許文献２には、紙製の箸置き兼用箸袋が開示されている。この箸袋の一端は、他端に挿入し、全体としてリング状となるように連結することができるようにされている。箸袋の一側縁部は波形に形成され、この波形は、リング状とした箸置きの上端縁に現れる。リング状の立体形状によって構造強度を確保し、波形によって置かれた箸の転落を防止する趣旨である。実用性はあるが、装飾性には乏しい。
【０００７】
特許文献３には、折紙組立て体が開示されている。折紙組立て体は、所定の展開図寸法に裁断された用紙を折り畳むことによって、中間部が円滑に窪んだ船形を形成することができ、小型の船を形成するときには、箸置きとして利用することができるとともに、大型の船を形成するときには、乾燥菓子類等の盛皿として利用することができる。形状デザインの起源は、伝統的な船盛り料理にあると思われるものである。
【０００８】
特許文献４には、紙製の箸置きが開示されている。中央位置に円形の抜き穴を設けた方形の材料用紙を中央位置で折返した簡単な構成である。同文献には、この変形例および使い捨てにすることで洗い作業を省略する意図が示されている。
【０００９】
また、特許文献５には、単一の用紙から箸袋とその前面に添設される状態の楊子収納部とを一体に折り上げる技術が開示されている。用いる用紙としては、加賀千代紙が好ましいとされ、単なる紙製であることから使い捨てにされるものであるが、使い捨てにするには惜しいと思われる折り紙技術と装飾性を有する。
【００１０】
特許文献６ないし特許文献８には、それぞれ、漆紙の製造法が開示されている。これらは、いずれも平面状に展開されたシート状の用紙に漆を塗布する技術に係り、壁面、屏風や襖、漆器製造用に使用されることが示されている。
【００１１】
さらに、非特許文献１には、「つる」をはじめとして動物、鳥、乗り物、おもちゃ、植物、入れ物、季節の行事等に渉って、折り方が紹介されている。
【発明の開示】
【発明が解決しようとする課題】
【００１２】
本発明が解決しようとする問題点は、例えば、前記非特許文献１によって提供されている紙製のテーブルアレンジ用品は、装飾性に乏しいとともに、使い捨てにされている点である。装飾性に乏しいのは、工業的に量産することができる極めて簡単な構成であることに起因するものであり、使い捨てにされるのは、紙製品に料理汁が沁み込んだ場合に洗い流すことができないこと、および、これによって用紙の腰の強さが失われ、初期の形態を維持することが不能となるためである。また、これを防止するために、材料用紙に耐水性を有する、例えば、上記漆紙を用いる場合には、用紙の折り目部分において漆塗膜にひび割れが発生し、この部分から水が浸潤するとともに、漆の含浸により用紙が硬質なものとなっているために、複雑な形状に折り上げ造形することが困難であるという問題がある。
【００１３】
本発明は、反復使用が可能であれば、すなわち、紙製品であっても水洗いに耐え、かつ、所定の立体形状を維持することができるものとすれば、手折り作業による高度の折り紙技法を採用しても採算性を維持することができるとともに、使い捨ての廃止によってパルプ材料となる森林資源の保護にも寄与することができることに鑑み、視覚的な用紙の風合いを失うことなく、折り紙技法を採り入れた高度な装飾性と実用機能を備える折り紙製テーブルアレンジ用品を提供することを目的とする。
【課題を解決するための手段】
【００１４】
本発明に係る実用機能を備える折り紙製テーブルアレンジ用品は、単一の材料用紙を折り紙技法によって特定の立体形状を有する立体素材に折り上げ、その折り上げ後に、折り上げた立体素材に立体形状維持力と耐水性を付与する樹脂塗料を含浸させてなり、樹脂塗料として透明樹脂塗料を用いることを特徴とする。
【００１５】
上記発明の構成においては、樹脂塗料を含浸させる以前の材料用紙、すなわち、普通の折り曲げ易い用紙を折り紙技法によって折り上げるので、装飾性の高い複雑な立体形状を有する立体素材を作製することができる。次いで、作製した立体素材に樹脂塗料としての透明樹脂塗料を含浸させることにより、立体素材の各部を構成する材料用紙は、透明樹脂を透して視覚的に紙の質感を残しながらも、材料用紙の厚みに応じた適度な厚みを有する樹脂フィルムと同等の特性を発揮することができる。したがって、立体素材は、テーブルアレンジ用品としての用途に対して実用上十分な形状維持力と水洗いに対する耐久性を発揮し、反復使用することが可能となる。
【００１６】
本発明に係る実用機能を備える折り紙製テーブルアレンジ用品における透明樹脂塗料には、透明ウレタン樹脂塗料を用いることができる。化学的安定性が高く、塗膜強度、屈曲疲労耐性に優れ、水切れが良好であり、手に馴染み良い適度な柔軟性を有する。
【００１７】
本発明に係る実用機能を備える折り紙製テーブルアレンジ用品における材料用紙には、和紙を用いることができる。和紙は、毛細管現象を発揮する特有の繊維性構造を有するとともに、内部空隙が多いので、樹脂塗料の吸収がよく、立体素材の構造上、塗装用の筆先が届かないような狭隘な部分に対しても、その近傍から塗料を含浸させることが可能となる。
【発明の効果】
【００１８】
本発明の実用機能を備える折り紙製テーブルアレンジ用品は、折り紙技法によって材料用紙を特定の形態を有する立体素材に折り上げた後に、透明樹脂塗料を含浸させるので、折り紙技法を実行する時点では、材料用紙が硬化しておらす、材料用紙の硬さが折り紙技法の制限となることがないから、伝統的または創作的折り紙技法を存分に駆使した複雑な立体素材を製作することができ、また、この後に立体素材に対して透明樹脂塗料を含浸させることによって、立体素材を形成している材料用紙は、紙製品の外観を維持しながらも薄い樹脂板と同等の特性を発揮することができるので、反復使用に耐える形状維持力と耐水性を発揮し、その立体素材の形状にしたがって、箸置きや薬味入れとしての実用機能を有するテーブルアレンジ用品として便利に利用することができる。
【発明を実施するための最良の形態】
【００１９】
材料用紙として粗繊維を混入して風合いを調整した各色の和紙を用い、透明樹脂塗料として市販の透明ウレタン塗料を用いて多種類のテーブルアレンジ用品を製作した中から、実用性の高かったものを以下に数点例示する。なお、これらの製作品には、折り紙としての通用的な名称が付けられているものもあるが、特に名称のないものもある。また、名称があるものを独自に変形させたものもある。これらの折り方については、説明を省略する。なお、折り方については、非特許文献１（榎本宣吉監修、編者：主婦の友社刊「簡単おりがみ百科」、平成９年１２月２４日第一刷発行、平成１５年５月１０日第十五刷発行、発行所：株式会社主婦の友社）を参考としているが、その他市販されている折り紙読本を参照されたい。
【実施例１】
【００２０】
図１は、折り紙として鶴１１と称される立体素材１０の例である。したがって、鶴１１は、単一の材料用紙から折り上げられている。用いている材料用紙の色は、赤色である。左右のつばさ部分１１ｂ，１１ｂは、中間から下方に折り曲げてあり、鶴１１は、胴体部１１ａと左右のつばさ部分１１ｂ，１１ｂとの３点で安定に姿勢を保つことができる。透明ウレタン樹脂塗料は、頭部１１ｃまたは尾部１１ｄの先端をピンセットで挟んで支持し、刷毛塗りによって含浸させれば足りる。ピンセットで挟んでいた板部分は、最後に筆差しをすればよい。塗料の乾燥は、剥離紙等の上で行なうことにより立体素材１０との癒着を防止することができる。
【００２１】
塗料は、一回塗りで十分であるが、形状維持強度を高めたい場合には、２回以上含浸させることもできる。形状維持強度は、材料用紙に厚手の用紙を選択することで高めることもできる。塗料を乾燥して得られる鶴型のテーブルアレンジ用品は、その色調と形態から慶事用の宴席において菜箸Ｈ，Ｈを置くための箸置きとして適する。
【００２２】
図２は、緑色の材料用紙を用いて折り上げた竹１２型の立体素材１０の例である。竹１２は、１対の葉部１２ｂ，１２ｂを備え、折り上げ作業の難度は高いが、竹のイメージを良く表しており、和食卓に適合する装飾または箸置きとして利用価値が高い。
【００２３】
図３は、折り紙としては、ぱくぱく１３と称される形態の立体素材１０を薬味入れとして利用するものである。ぱくぱく１３は、指を差し入れてぱくぱく動作させるため、４箇所に逆角錐形の凹部１３ｈ…を有し、この部分に四種類の薬味を分別して収納することができる。なお、この形態の立体素材１０は、逆さにすると大容量の大きな凹部を形成するので、収納するものの種類に応じて表裏のいずれかを選択して使用することができる。また、この形態の立体素材１０は、大寸法のものとして製作することにより、オードブル等の盛り付けに適する盛皿として活用することができる。
【００２４】
図４は、ハス１４と称される立体素材１０の例である。ハス１４は、四方向に向いた２対の花弁１４ａ…を備え、小型のものは、薬味入れ、大型に形成したものは、オードブル皿等として実用に供し、サイズの異なる２以上のハス１４を花弁１４ａ…の方向を違えて重ねることによって、華麗な装飾機能を発揮することができる。
【００２５】
以上、いずれの実施例に示すテーブルアレンジ用品についても、使用後、水洗いを実施し、外観の変化および水濡れの有無を観察したが、いずれの観点においても初期の性状を維持していることが判明した。ただし、材料用紙に含浸させた透明ウレタン樹脂塗料が十分に乾燥しないうちに水洗いを実施すると、ウレタン樹脂が白濁することがあるので、十分に乾燥してから使用するようにしなければならない。
【００２６】
また、非特許文献１にも種々紹介されているように、その折り方を利用して容器や植物を手折りした後に透明ウレタン樹脂塗料を含浸させるので、衛生的にも優れた爪楊枝入れ、菓子入れ、あるいはコップ敷きのように折り紙でありながら、用途を拡大し、卓上の装飾具として利用でき、さらには、「かえる」のような場合、飛び上がりがよく、おもちゃとしての面白さが増加する。
【産業上の利用可能性】
【００２７】
本発明の折り紙製テーブルアレンジ用品は、ぺーパクラフト製品とプラスチック製品との中間に位置する製品であり、単なるプラスチック製品としては実現できない複雑な立体形状をプラスチック製品としての長所を採り入れて実現している。家庭内で、容易に実施することもできるので、主婦の内職にも適する。
【図面の簡単な説明】
【００２８】
【図１】鶴型の実施例を示す斜視図。
【図２】竹型の実施例を示す斜視図。
【図３】ぱくぱく型の実施例を示す斜視図。
【図４】ハス型の実施例を示す斜視図。
【符号の説明】
【００２９】
１０      立体素材
１１      鶴
１１ａ    胴体部
１１ｂ    つばさ部分
１１ｃ    頭部
１１ｄ    尾部
１２      竹
１２ｂ    葉部
１３      ぱくぱく
１３ｈ    凹部
１４      ハス
１４ａ    花弁
【図１】
2005087498.tif 000003
【図２】
2005087498.tif 000004
【図３】
2005087498.tif 000005
【図４】
2005087498.tif 000006
【手続補正書】
【提出日】平成16年8月6日(2004.8.6)
【手続補正１】
【補正対象書類名】特許請求の範囲
【補正対象項目名】請求項１
【補正方法】変更
【補正の内容】
【請求項１】
単一の材料用紙を折り紙技法によって特定の立体形状を有する立体素材に折り上げ、該折り上げ後に、前記立体素材に透明樹脂塗料を含浸することにより実用機能を備える折り紙製テーブルアレンジ用品において、
前記材料用紙は粗繊維を混入して風合い調整した色和紙とし、前記透明樹脂塗料は透明ウレタン樹脂塗料を用い、前記和紙を所望の立体素材に折り上げ後、前記透明ウレタン樹脂塗料を含浸させ、該含浸乾燥することによって和紙の繊維性構造内に含浸した該樹脂塗料は、折り上げた和紙を反復使用に耐える形状維持力と耐水性を付与し、水洗いを可能とするとともに水切りを良好としたこと、を特徴とする、
実用機能を備える折り紙製テーブルアレンジ用品。
【手続補正２】
【補正対象書類名】明細書
【補正対象項目名】００２０
【補正方法】変更
【補正の内容】
【００２０】
図１は、折り紙として鶴１１と称される立体素材１０の例である、たがって、鶴１１は、単一の材料用紙から折り上げられている、用いている材料用紙の色は、赤色である。左右のつばさ部分１１ｂ、１１ｂは、中間から下方に折り曲げてあり、鶴１１は、胴体部１１ａと左右のつばさ部分１１ｂ、１１ｂとの３点で安定に姿勢を保つことができる。透明ウレタン樹脂塗料は、頭部１１ｃまたは尾部１１ｄの先端をピンセットで挟んで支持し、刷毛塗りによって含浸させれば足りる。ピンセットで挟んでいた部分は、最後に筆差しをすればよい。塗料の乾燥は、剥離紙等の上で行うことにより立体素材との癒着を防止することができる。